(57)【要約】本発明は太陽電池、その切断方法及び装置を提供し、太陽電池の切断方法は、基板上の連続的な薄膜太陽電池をプリセットサイズの大きい電池に切断することと、大きい電池をプリセットサイズの中間遷移電池に裁断することと、中間遷移電池と、パッケージ材料と、金属線材とを集積し積層することで、遷移積層電池を形成することと、遷移積層電池をモノリシック電池に裁断し、アークカッターにより、モノリシック電池の角を切断することとを含む。本発明にて提供される太陽電池の切断方法は、アークカッターにより往復切断を行う方式で、モノリシック電池の角を角丸に切断することにより、従来技術において、角部が反り返り、屈曲角を形成するため、隣接するモノリシック電池の絶縁層に対する損傷又は自体の防水層に対する損傷を招来し、さらに電池の内部又は外部にショートが発生するという問題につながることを避ける。
2019531591.tif 000002
【特許請求の範囲】
【請求項１】
太陽電池の切断方法であって、
基板上の連続的な薄膜太陽電池をプリセットサイズの中間遷移電池に切断するステップと、
前記中間遷移電池と、パッケージ材料と、金属線材とを集積し積層することで、遷移積層電池を形成するステップと、
前記遷移積層電池をモノリシック電池に裁断し、前記モノリシック電池の角を角丸に切断するステップと、を含むことを特徴とする太陽電池の切断方法。
【請求項２】
基板上の連続的な薄膜太陽電池をプリセットサイズの中間遷移電池に切断することは、具体的に、
基板上の連続的な薄膜太陽電池をプリセットサイズの大きい電池に切断することと、
前記大きい電池をプリセットサイズの中間遷移電池に裁断することと、を含むことを特徴とする請求項１に記載の太陽電池の切断方法。
【請求項３】
前記モノリシック電池の角を角丸に切断することは、具体的に、
アークカッターにより、前記モノリシック電池の角を角丸に切断することを含むことを特徴とする請求項１に記載の太陽電池の切断方法。
【請求項４】
アークカッターにより、前記モノリシック電池の角を切断することは、具体的に、
前記アークカッターを電池の切断装置に取り付けることと、
前記アークカッターを前記モノリシック電池の伝動方向に直交する方向に沿って移動させるように制御することと、
前記モノリシック電池の設定縁の一方の角を切断することと、
前記モノリシック電池が載置される回転ステージを９０°回転させるように制御することと、
前記設定縁の他方の角を切断することと、を含むことを特徴とする請求項３に記載の太陽電池の切断方法。
【請求項５】
アークカッターにより、前記モノリシック電池の角を切断することは、具体的に、
前記アークカッターを電池の切断装置に取り付けることと、
前記アークカッターを前記モノリシック電池の伝動方向に直交する方向に沿って移動させるように制御することと、
前記モノリシック電池における二つ又は四つの角を同時に切断することと、を含むことを特徴とする請求項３に記載の太陽電池の切断方法。
【請求項６】
前記アークカッターを前記モノリシック電池の伝動方向に直交する方向に沿って移動させるように制御することは、具体的に、
前記アークカッターを所定の刻み幅で移動させるように制御することを含むことを特徴とする請求項４に記載の太陽電池の切断方法。
【請求項７】
前記アークカッターを電池の切断装置に取り付けた後、さらに、
前記モノリシック電池における切断待ちの角がある対角線に沿って、前記アークカッターの切断位置を可動的に調節することで、角を切断した後に形成された角丸の大きさを制御することを含むことを特徴とする請求項５に記載の太陽電池の切断方法。
【請求項８】
前記アークカッターは、弧状ブレードと矩形ブレードとを組み合わせてなり、又は前記弧状ブレードと矩形ブレードとを一体成形してなることを特徴とする請求項３〜７のいずれか一項に記載の太陽電池の切断方法。
【請求項９】
前記モノリシック電池の長さの範囲値は３００〜３２０ｍｍであり、前記モノリシック電池の幅の範囲値は４０〜４５ｍｍであり、前記中間遷移電池の長さの範囲値は１５００〜１６００ｍｍであり、前記中間遷移電池の幅の範囲値は４０〜４５ｍｍであることを特徴とする請求項１に記載の太陽電池の切断方法。
【請求項１０】
前記遷移積層電池をモノリシック電池に裁断し、前記モノリシック電池の角を角丸に切断した後、さらに、
前記モノリシック電池の成形品質を検査するとともに、区分して収集することを含むことを特徴とする請求項１に記載の太陽電池の切断方法。
【請求項１１】
前記遷移積層電池をモノリシック電池に裁断することは、具体的に、
矩形ブレードと弧状ブレードとの取り合わせにより、前記遷移積層電池をモノリシック電池に裁断することを含むことを特徴とする請求項１に記載の太陽電池の切断方法。
【請求項１２】
太陽電池であって、
前記太陽電池は請求項１〜１１のいずれか一項に記載の切断方法により切断して得られる少なくとも一つの角丸を含むことを特徴とする太陽電池。
【請求項１３】
前記太陽電池の角丸の弧度範囲の値はπ/９６〜π/２であることを特徴とする請求項１２に記載の太陽電池。
【請求項１４】
太陽電池を切断するためのアークカッターであって、
前記アークカッターは、弧状ブレードと矩形ブレードを含み、
前記アークカッターは、前記弧状ブレードと前記矩形ブレードとを組み合わせてなり、又は弧状ブレードと矩形ブレードとを一体成形してなることを特徴とする太陽電池を切断するためのアークカッター。
【請求項１５】
前記弧状ブレードは少なくとも、第１の弧状ブレードと第２の弧状ブレードを含み、
前記第１の弧状ブレードと第２の弧状ブレードは、切断待ちの電池のエッジに沿って設置され、又は切断待ちの電池の対角線に沿って設置されることを特徴とする請求項１４に記載の太陽電池を切断するためのアークカッター。
【請求項１６】
前記第１の弧状ブレード及び/又は第２の弧状ブレードの弧度値はπ/２であることを特徴とする請求項１５に記載の太陽電池を切断するためのアークカッター。
【発明の詳細な説明】
【技術分野】
【０００１】
本出願は、出願番号が２０１７１０７６５８４１.５で、出願日が２０１７年８月３０日の中国特許出願に基づき提出されるとともに、当該中国特許出願の優先権を主張し、当該中国特許出願の全体が参照により、ここに組み込まれる。
【０００２】
本発明は、太陽電池の技術分野に関し、特に太陽電池、その切断方法及び装置に関する。
【背景技術】
【０００３】
現在、市場に大規模生産されている薄膜電池において、銅インジウムカリウムセレン、砒化ガリウムなどの高能率の薄膜電池は、結晶シリコン電池の代わりになれる第２世代の太陽電池とみなされ、光電変換効率が高くて、安定性がよく、耐放射線性が強いなどの利点を有する。ステンレス鋼などのフレキシブル基板による薄膜太陽電池は、質量が軽くて、巻回可能で、展開方式が柔軟で、質量比が高いから、広い市場応用の見通しを備え、ますます人々に好まれている。
【発明の概要】
【発明が解決しようとする課題】
【０００４】
巻回型で大きなサイズの薄膜太陽電池の製品について、輸出製品の電気使用の要求を満たすために、大きなサイズの電池を特定のサイズに裁断し、複数のモノリシック電池を集積しパッケージすることで、最終に必要な製品タイプを形成する必要がある。
【０００５】
本発明は、前記従来技術における課題を解決するために、太陽電池、その切断方法及び装置を提供し、モノリシック電池に屈曲角が生じることにより、電池の絶縁層又は防水層を損傷し、電池の内部又は電池の間にショートが発生してしまうという問題を避けることを目的とする。
【課題を解決するための手段】
【０００６】
本発明にて提供する太陽電池の切断方法は、
基板上の連続的な薄膜太陽電池をプリセットサイズの中間遷移電池に切断するステップと、
前記中間遷移電池と、パッケージ材料と、金属線材とを集積し積層することで、遷移積層電池を形成するステップと、
前記遷移積層電池をモノリシック電池に裁断し、前記モノリシック電池の角を角丸に切断するステップと、を含む。
【０００７】
前記太陽電池の切断方法において、好ましくは、基板上の連続的な薄膜太陽電池をプリセットサイズの中間遷移電池に切断することは、具体的に、
基板上の連続的な薄膜太陽電池をプリセットサイズの大きい電池に切断することと、
前記大きい電池をプリセットサイズの中間遷移電池に裁断することと、を含む。
【０００８】
前記太陽電池の切断方法において、好ましくは、前記モノリシック電池の角を角丸に切断することは、具体的に、
アークカッターにより、前記モノリシック電池の角を角丸に切断することを含む。
【０００９】
前記太陽電池の切断方法において、好ましくは、アークカッターにより、前記モノリシック電池の角を切断することは、具体的に、
前記アークカッターを電池の切断装置に取り付けることと、
前記アークカッターを前記モノリシック電池の伝動方向に直交する方向に沿って移動させるように制御することと、
前記モノリシック電池の設定縁の一方の角を切断することと、
前記モノリシック電池が載置される回転ステージを９０°回転させるように制御することと、
前記設定縁の他方の角を切断することと、を含む。
【００１０】
前記太陽電池の切断方法において、好ましくは、アークカッターにより、前記モノリシック電池の角を切断することは、具体的に、
前記アークカッターを電池の切断装置に取り付けることと、
前記アークカッターを前記モノリシック電池の伝動方向に直交する方向に沿って移動させるように制御することと、
前記モノリシック電池における二つ又は四つの角を同時に切断することと、を含む。
【００１１】
前記太陽電池の切断方法において、好ましくは、前記アークカッターを前記モノリシック電池の伝動方向に直交する方向に沿って移動させるように制御することは、具体的に、
前記アークカッターを所定の刻み幅で移動させるように制御することを含む。
【００１２】
前記太陽電池の切断方法において、好ましくは、前記アークカッターを電池の切断装置に取り付けた後、さらに、
前記モノリシック電池における切断待ちの角がある対角線に沿って、前記アークカッターの切断位置を可動的に調節することで、角を切断した後に形成された角丸の大きさを制御することを含む。
【００１３】
前記太陽電池の切断方法において、好ましくは、前記アークカッターは、弧状ブレードと矩形ブレードとを組み合わせてなり、又は弧状ブレードと矩形ブレードとを一体成形してなる。
【００１４】
前記太陽電池の切断方法において、好ましくは、前記弧状ブレードの弧度値はπ/２である。
【００１５】
前記太陽電池の切断方法において、好ましくは、前記モノリシック電池に切断した後に形成される角丸の弧度範囲の値はπ/９６〜π/２である。
【００１６】
前記太陽電池の切断方法において、好ましくは、前記モノリシック電池の長さの範囲値は３００〜３２０ｍｍであり、前記モノリシック電池の幅の範囲値は４０〜４５ｍｍであり、前記中間遷移電池の長さの範囲値は１５００〜１６００ｍｍであり、前記中間遷移電池の幅の範囲値は４０〜４５ｍｍである。
【００１７】
前記太陽電池の切断方法において、好ましくは、前記遷移積層電池をモノリシック電池に裁断し、前記モノリシック電池の角を角丸に切断した後、さらに、
前記モノリシック電池の成形品質を検出するとともに、段階的に収集することを含む。
【００１８】
前記太陽電池の切断方法において、好ましくは、前記遷移積層電池をモノリシック電池に裁断することは、具体的に、
矩形ブレードと弧状ブレードとの取り合わせにより、前記遷移積層電池をモノリシック電池に裁断することを含む。
【００１９】
本発明はさらに、太陽電池を提供し、前記太陽電池は前記いずれか一項に記載の切断方法により切断して得られる少なくとも一つの角丸を含む。
【００２０】
前記太陽電池において、好ましくは、前記太陽電池の角丸の弧度範囲の値はπ/９６〜π/２である。
【００２１】
本発明はさらに、太陽電池を切断するためのアークカッターを提供し、
前記アークカッターは、弧状ブレードと矩形ブレードを含み、
前記アークカッターは、前記弧状ブレードと前記矩形ブレードとを組み合わせてなり、又は弧状ブレードと矩形ブレードとを一体成形してなる。
【００２２】
前記太陽電池を切断するためのアークカッターにおいて、好ましくは、前記弧状ブレードは少なくとも、第１の弧状ブレードと第２の弧状ブレードを含み、
前記第１の弧状ブレードと第２の弧状ブレードは、切断待ちの電池のエッジに沿って設置され、又は切断待ちの電池の対角線に沿って設置される。
【００２３】
前記太陽電池を切断するためのアークカッターにおいて、好ましくは、前記第１の弧状ブレード及び/又は第２の弧状ブレードの弧度値はπ/２である。
【発明の効果】
【００２４】
本発明にて提供される太陽電池の切断方法は、アークカッターにより往復切断を行う方式で、モノリシック電池の角を角丸に切断することにより、従来技術において、角部が反り返り、屈曲角を形成することによって、隣接するモノリシック電池の絶縁層に対する損傷又は自体の防水層に対する損傷を招来し、さらに電池の内部又は外部にショートが発生するという問題につながることを避ける。
【図面の簡単な説明】
【００２５】
【図１】従来技術におけるモノリシック電池に屈曲角が生じる状態図である。
【図２】本発明の実施例にて提供される太陽電池の切断方法のフローチャートである。
【図３】本発明の実施例にて提供される他の太陽電池の切断方法のフローチャートである。
【図４】モノリシック電池における角が切断された後の模式図である。
【図５】本発明の実施例にて提供される太陽電池の切断方法に用いられるアークカッターの模式図である。
【発明を実施するための形態】
【００２６】
以下、本発明の具体的な実施形態について、図面を参照しながら、さらに詳しく説明する。
以下、本発明の実施例について詳しく説明し、前記実施例の実例は図面において示され、ここで全体にわたって同一又は類似する符号は同一又は類似する部品又は同一又は類似する機能を有する部品を示す。以下図面を参照して記述される実施例は例示的なものであり、本発明を説明するためのみに用いられ、本発明に対する限定として解釈することはできない。
【００２７】
図１に示すように、小さいサイズのモノリシック電池１は、製造、及び製品に集積・形成される過程において、伝動、切断、輸送及びマニピュレータによる外力の收集などの影響により、電池には不可避の屈曲角２が生じるという現象につながる。複数のモノリシック電池１が直列に配列される場合、前のモノリシック電池１の屈曲角２は、絶縁層を刺通し、直接的に後のモノリシック電池１のステンレス鋼に導通しやすくなり、薄膜太陽電池ユニットにショート現象を発生させる。さらに、モノリシック電池１の屈曲角２は背板材料を刺通して、防水層のアルミニウム層に導通し、薄膜太陽電池ユニットには、内部のショートなど、ユニットパッケージのショートにつながる、他の潜在的なリスクが発生し、ユニットの製造品質に対して、厳しく影響する。
【００２８】
図２に示すように、本発明の実施例は、他の太陽電池の切断方法を提供し、以下のステップを含む。
基板上の連続的な薄膜太陽電池をプリセットサイズの中間遷移電池に切断するステップ。
当該中間遷移電池の長さの範囲値は１５００〜１６００ｍｍであってもよく、その幅の範囲値は４０〜４５ｍｍであってもよい。本実施例において、好ましくは、中間遷移電池の長さの値は１５８８ｍｍであり、その幅の値は４３．７５ｍｍである。なお、本実施例は、「基板上の連続的な薄膜太陽電池」の大きさに対して、具体的に限定せず、同時に、「基板上の連続的な薄膜太陽電池」から「中間遷移電池」に切断する回数に対して、具体的に限定しない。
前記中間遷移電池と、パッケージ材料と、金属線材とを集積し積層することで、遷移積層電池を形成する。
前記遷移積層電池をモノリシック電池に裁断し、前記モノリシック電池の角を角丸に切断する。
【００２９】
図３に示すように、本発明の実施例は、他の太陽電池の切断方法を提供し、以下のステップを含む。
基板上の連続的な薄膜太陽電池をプリセットサイズの大きい電池に切断する。
当該プリセットのサイズは実際の生産の必要に応じて定めればよく、本実施例において、好ましくは、大きい電池の長さの値は１５８８ｍｍであり、その幅の値は１０００ｍｍである。
大きい電池をプリセットサイズの中間遷移電池に裁断し、当該中間遷移電池の長さの範囲値は１５００〜１６００ｍｍであってもよく、その幅の範囲値は４０〜４５ｍｍであってもよい。本実施例において、好ましくは、中間遷移電池の長さの値は１５８８ｍｍであり、その幅の値は４３．７５ｍｍである。
中間遷移電池と、パッケージ材料と、金属線材とを集積し積層することで、遷移積層電池を形成する。
遷移積層電池をモノリシック電池１に裁断し、アークカッターにより、モノリシック電池１の角を切断する。モノリシック電池１の角を切断するカッターが円弧状であるため、モノリシック電池１の角部が切断された後に、角丸１１を形成し（図４参照）、これによって、従来技術において、角部が反り返り、屈曲角を形成することによって、隣接するモノリシック電池１の絶縁層に対する損傷又は自体の防水層に対する損傷を招来し、さらに電池の内部又は外部にショートが発生するという問題につながることを避ける。
ただし、モノリシック電池１の長さの範囲値は３００〜３２０ｍｍであってもよく、その幅の範囲値は４０〜４５ｍｍであってもよく、本実施例において、好ましくは、モノリシック電池の長さの値は３１０ｍｍであり、その幅の値は４３．７５ｍｍである。
【００３０】
本発明の実施例にて提供される太陽電池の切断方法において、まず、基板上の連続的な薄膜太陽電池をプリセットサイズの大きい電池に切断し、そして、大きい電池をプリセットサイズの中間遷移電池に裁断し、中間遷移電池と、パッケージ材料と、金属線材とを集積し積層することで、遷移積層電池を形成し、次いで、遷移積層電池をモノリシック電池に裁断する。つまり、本実施例において、切断により得られ「大きい電池」、「中間遷移電池」及び「モノリシック電池」の表面積の大きさの関係は、「大きい電池」＞「中間遷移電池」＞「モノリシック電池」である。
【００３１】
なお、遷移積層電池をモノリシック電池１に裁断することは、具体的に、矩形ブレード２０とアークカッターとの取り合わせにより、遷移積層電池をモノリシック電池１に裁断し、これによって、遷移積層電池に対する裁断効率を向上できる。さらに、矩形ブレードと弧状ブレードとの取り合わせにより、矩形ブレードが遷移積層電池をモノリシック電池１に裁断すると同時に、弧状ブレードが切断により得られたモノリシック電池の一方の角に対する切断を完了し、一つの角丸を有するモノリシック電池を得て、遷移積層電池に対する裁断効率を向上させる。
【００３２】
さらに、アークカッターにより、モノリシック電池１の角を切断することは、具体的に以下を含む。
アークカッターを電池の切断装置に取り付ける。
アークカッターをモノリシック電池１の伝動方向に直交する方向に沿って移動させるように制御し、切断する前、切断方向に直交する場合に、切断された後の角丸１１の弧度の大きさを制御するように、アークカッターのモノリシック電池１における切断の深さを調節する必要がある。これにより、角丸１１が電池に擦り傷をつけず、切断された材料を可能な限り減少させ、材料の浪費を低減させることを実現できる。
なお、本発明に記載の、「モノリシック電池１における切断の深さ」における、「切断の深さ」は、切断待ちのモノリシック電池の角の幾何形状が、両辺と当該両辺の共通端点からなるように定義される。ここでの「切断の深さ」は、アークカッターの切断位置が当該共通端点から離れる程度を指す。アークカッターの切断位置から、当該共通端点までの距離が大きいと、「切断の深さ」が大きく、切断後に得られる角丸の弧度も大きく、アークカッターの切断位置から当該共通端点までの距離が小さいと、「切断の深さ」が小さく、切断された後に得られた角丸の弧度も小さい。
モノリシック電池１の設定縁の一方の角を切断する。
モノリシック電池１が載置される回転ステージを９０°回転させるように制御し、
設定縁の他方の角を切断する。
【００３３】
具体的に、アークカッターは、モノリシック電池１の一方の角を切断した後に、初期位置にリターンし、モノリシック電池１が載置される回転ステージが９０°回転すると、アークカッターは、当該モノリシック電池１の他方の角を切断する。当該モノリシック電池１における二つの角がいずれも切除された後に、アークカッターは、再び初期位置にリターンし、次のモノリシック電池１が切断位置に伝動すると、アークカッターは、再び当該次のモノリシック電池１の角を切断する。これによって、アークカッターが往復運動を続けることで、一つのモノリシック電池１における二つの角に対する切断を実現するとともに、アークカッターの連続的な往復運動により、複数のモノリシック電池１の角に対する連続切断を実現する。これによって、切断効率を効果的に向上させる。ただし、当該アークカッターは空気圧制御手段により自動切断を実現でき、当然のことながら、モノリシック電池１の数が少ない場合、手動の方式で切断してもよく、これに対して、本実施例は限定しない。
【００３４】
なお、前記切断動作の過程において、電池の切断装置の位置が固定であり、回転ステージと伝送機構との取り合わせにより、可動的にモノリシック電池の角に対する切断を実現する。他方の実施例において、モノリシック電池が伝送機構に従って、切断位置に運動する時、モノリシック電池の設定縁の一方の角を切断するように、アークカッターが下に運動し、切断を完了した後に、アークカッターが初期位置にリターンする。この時、電池の切断装置が当該設定縁に沿って、当該設定縁の他方の角の位置に平行移動するとともに、アークカッターを９０°回転させることで、アークカッターの円弧面をモノリシック電池に離反する方向に突出させ、且つアークカッターを下に運動させるように駆動することにより、他方の角を切断する。切断を完了した後に、アークカッターがリターンするとともに、電池の切断装置が当該設定縁に沿って、逆方向に初期位置に平行移動し、伝送機構が切断された後のモノリシック電池を切断領域外に搬送するとともに、次の切断待ちのモノリシック電池を切断領域に搬送することで、モノリシック電池に対する連続切断を実現する。
【００３５】
アークカッターがモノリシック電池１の伝動方向に直交する方向に沿って移動する場合、アークカッターを所定の刻み幅で移動させるように制御できる。これによって、モノリシック電池１の切断サイズの整合性を保証でき、切断深さが大きすぎ又は小さすぎることを防止し、その同時に、連続切断の状態におけるアークカッターに対する制御を容易にするように、隣接する二つのモノリシック電池１の間の伝送が一定の時間間隔を持たせる。
【００３６】
さらに、本発明において、アークカッターの弧状ブレードの数は一つであってもよく、二つ又は四つのブレードで構成されてもよい。アークカッターには、二つの弧状ブレードが含まれる場合に、つまり、弧状ブレードには、第１の弧状ブレードと第２の弧状ブレードが含まれる場合に、前記第１の弧状ブレードと第２の弧状ブレードが切断待ちの電池のエッジに沿って設置され、あるいは、前記第１の弧状ブレードと第２の弧状ブレードが切断待ちの電池の対角線に沿って設置される。切断待ちのモノリシック電池の大きさ（長さ又は幅）に応じて、当該二つの弧状ブレードの間の距離を設置でき、これによって、切断待ちのモノリシック電池の二つの角に対する切断を同時に完了し、アークカッターには四つの弧状ブレードが含まれる場合に、切断待ちのモノリシック電池の大きさ（長さ及び幅）に応じて、当該四つの弧状ブレードの間の距離を設置でき、これによって、切断待ちのモノリシック電池の四つの角に対する切断を同時に完了し、さらに切断効率を向上させ、同時に、複数の弧状ブレードの相対位置が固定されるため、切断された後に得られた四つの角丸の弧度の整合性をさらに向上させ、電池の歩留まりを高める。
【００３７】
ここで、図５に示すように、アークカッターは、一端が円弧状であり、全体がシート状であるカッターであってもよく、又は、円弧状の弧状ブレード３０と矩形ブレード２０との組み合わせであってもよい。本実施例において、アークカッターの使用機能を増加させるために、弧状ブレード３０と矩形ブレード２０とを組み合わせるという方式で、電池の切断装置に取り付け、矩形ブレード２０を使用する必要がある場合、それを取り外した後に単独で使用すればよい。
【００３８】
さらに、本発明におけるアークカッターは、一つの弧状ブレードと一つの矩形ブレードで構成されてもよく、二つの弧状ブレードと一つの矩形ブレードで構成されてもよく、この時、当該矩形ブレードは、二つの弧状ブレードの間に設置され、アークカッターはさらに、四つの弧状ブレードと二つの矩形ブレードで構成されてもよく、この時、矩形ブレードは、二つの弧状ブレードの間に設置され、且つ二つの矩形ブレードは、対向して設置される。このように、四つの角に対する切断を同時に完了でき、切断された後に得られた四つの角丸の弧度の整合性を向上させるとともに、矩形ブレードがモノリシック電池の大きさをさらに調整でき、ロット製品におけるモノリシック電池の大きさの整合性を向上させ、さらに電池の歩留まりを高める。
【００３９】
さらに、前記アークカッターを電池の切断装置に取り付けた後に、以下を含む。
前記モノリシック電池における切断待ちの角がある対角線に沿って、前記アークカッターの切断位置を可動的に調節することで、角を切断した後に形成された角丸の大きさを制御し、これによって、モノリシック電池１に対して、弧状ブレード３０の切断方向に直交する方向における深さを変更することで、切断された後に形成される角丸１１の弧度に対する制御を実現する。
【００４０】
具体的に、弧状ブレード３０の弧度値はπ/２であってもよく、且つ当該角丸１１の最大の弧度値はπ/２以下である。
【００４１】
なお、図４に示すように、モノリシック電池１は一定の柔軟性があるため、アークカッターが切断方向に直交する方向で、モノリシック電池１の角との接触する深さが小さすぎると、切断の過程において、モノリシック電池１は、自身の変形により、カッターの刃口から外れやすく、カット素材の不斉を招来し、モノリシック電池１の品質問題につながる。そのため、実際の切断の過程において、カッターが切断方向に直交する方向に、一定の切断の深さを有することを保証しなければならず、さらに、角丸１１の最小の弧度値を設定する。本実施例において、角丸１１の最小の弧度値はπ/９６であり、角丸１１の弧度値は、実際の必要に応じて、π/９６〜π/２の間にあるように設定さればよい。
【００４２】
さらに、遷移積層電池をモノリシック電池１に裁断し、アークカッターにより、モノリシック電池１の角を切断した後、以下を含んでもよい。
モノリシック電池１の成形品質を検査するとともに、区分して収集することで、切断された後のモノリシック電池１に存在する外観又は性能における問題を発見し、適時に分離又は補正管理を行う。
【００４３】
本発明にて提供される太陽電池の切断方法は、アークカッターにより往復切断を行う方式で、モノリシック電池の角を角丸に切断することにより、従来技術において、角部が反り返り、屈曲角を形成するため、隣接するモノリシック電池の絶縁層に対する損傷又は自体の防水層に対する損傷を招来し、さらに電池の内部又は外部にショートが発生するという問題につながることを避ける。
【００４４】
以上、図示されている実施例に基づいて、本発明の構成、特徴及び作用効果を詳しく説明した。上記は、本発明の好適な実施例にすぎず本発明を限定するものではなく、本発明の範囲や趣旨から逸脱することなく行われる種々の変更、又は同等変更した等価実施例への修正は、いずれも本発明の保護範囲内に含まれる。
【符号の説明】
【００４５】
１  モノリシック電池
２  屈曲角
１１  角丸
２０  矩形ブレード
３０  弧状ブレード
【図１】
2019531591.tif 000003
【図２】
2019531591.tif 000004
【図３】
2019531591.tif 000005
【図４】
2019531591.tif 000006
【図５】
2019531591.tif 000007
【国際調査報告】
2019531591.tif 000008
2019531591.tif 000009
2019531591.tif 000010
2019531591.tif 000011